(57)【要約】【課題】メーカー違いや外形の大きさによって種類を増やすことなく取り付けが可能な扇風機埃取りフィルタを提供する。【解決手段】本発明は、扇風機Ｓの回転羽根Ｓ２の背面部Ｓｂを保護する保護ガードＳ３に取り付けられる、扇風機の送風中の埃を取り除く扇風機埃取りフィルタ１００であって、周方向に分割されて保護ガードの少なくとも一部を覆う複数の分割フィルタ片１０を有し、分割フィルタ片の外方縁部には分割フィルタ片の形状を扇風機の保護ガードに追従させる追従部が設けられる。【選択図】図２
2013160148.tif 000002
【特許請求の範囲】
【請求項１】
扇風機の回転羽根の背面側を保護する保護部に取り付けられる、扇風機の送風中の埃を取り除く扇風機埃取りフィルタであって、
周方向に分割されて前記保護部の少なくとも一部を覆う複数の分割フィルタ片を有し、前記分割フィルタ片の外方縁部には前記分割フィルタ片の形状を前記扇風機の前記保護部に追従させる追従部が設けられることを特徴とする扇風機埃取りフィルタ。
【請求項２】
前記追従部は前記外方縁部に切り込みを入れることによって分割して形成された分割縁部を有することを特徴とする請求項１に記載の扇風機埃取りフィルタ。
【請求項３】
前記分割フィルタ片は、前記保護部との接触部位において粘着部材によって取り付けられることを特徴とする請求項１または２に記載の扇風機埃取りフィルタ。
【請求項４】
前記分割フィルタ片は、周方向にミシン目が設けられることによって切り取り可能であることを特徴とする請求項１〜３のいずれか１項に記載の扇風機埃取りフィルタ。
【請求項５】
前記扇風機埃取りフィルタは、隣接する前記分割フィルタ片の間隙部に取り付けられる間隙部分割フィルタ片をさらに有することを特徴とする請求項１〜４のいずれか１項に記載の扇風機埃取りフィルタ。
【発明の詳細な説明】
【技術分野】
【０００１】
本発明は、扇風機の埃取りフィルタに関する。
【背景技術】
【０００２】
主に夏に使用される扇風機は、モーターと接続されるファン及びファンの保護ガードの部分に埃が付着するため定期的な掃除が必要となる。このような掃除の手間を省くべく、扇風機の保護ガードには埃取りのフィルタが取り付けられることがある。扇風機埃取りフィルタには例えば下記特許文献１に記載されるように、埃取りフィルタが周方向に分割されると共に、保護ガードの曲面形状に合わせて形成され、当該フィルタを保持するフレームが保護ガードに取り付けられる構成が開示されている。
【先行技術文献】
【特許文献】
【０００３】
【特許文献１】特開２００５−２４０６９７号公報
【発明の概要】
【発明が解決しようとする課題】
【０００４】
しかし、扇風機の保護ガードの形状はメーカーによって様々であり、フレーム形状を特定のメーカーの形状に合わせてフィルタを製造すれば種類が膨大なものとなり、妥当でない。また、同じメーカーであっても保護ガードの外形の大きさが異なる場合があり、外形の大きさに合わせてフレームを用意したのではフィルタの種類がさらに増加し、全ての種類をカバーするのは困難である。
【０００５】
そこで本発明は、上記課題を解決するために発明されたものであり、メーカー違いや外形の大きさによって種類を増やすことなく取り付けが可能な扇風機埃取りフィルタを提供することを目的とする。
【課題を解決するための手段】
【０００６】
上記目的を達成する本発明は、扇風機の回転羽根の背面側を保護する保護部に取り付けられる、扇風機の送風中の埃を取り除く扇風機埃取りフィルタであって、周方向に分割されて前記保護部の少なくとも一部を覆う複数の分割フィルタ片を有し、前記分割フィルタ片の外方縁部には前記分割フィルタ片の形状を前記扇風機の前記保護部に追従させる追従部が設けられることを特徴とする。
【発明の効果】
【０００７】
本発明に係る扇風機埃取りフィルタによれば、フィルタを複数に分割して外方縁部にフィルタの形状を扇風機の保護部に追従させる追従部を設けたため、１種類のフィルタで様々なメーカー又は複数種類の外形形状を有する保護ガードへの取り付けが可能となる。
【図面の簡単な説明】
【０００８】
【図１】本発明の一実施形態に係る扇風機埃取りフィルタを取り付けた扇風機を斜め上部背面側から見た状態を示す斜視図である。
【図２】同扇風機埃取りフィルタを取り付けた扇風機を示す背面図である。
【図３】同扇風機埃取りフィルタを扇風機に取り付け、図２における右側上部から見た状態を示す部分矢視図である。
【図４Ａ】同扇風機埃取りフィルタの分割フィルタ片を示す平面図である。
【図４Ｂ】同扇風機埃取りフィルタの間隙部分割フィルタ片を示す平面図である。
【発明を実施するための形態】
【０００９】
以下、添付した図面を参照しながら、本発明の実施の形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１０】
図１は本発明の一実施形態に係る扇風機埃取りフィルタを取り付けた扇風機を斜め上部背面側から見た状態を示す斜視図、図２は同扇風機埃取りフィルタを取り付けた扇風機を示す背面図であり、図３は同扇風機埃取りフィルタを扇風機に取り付け、図２における右側上部から見た状態を示す部分矢視図である。また、図４Ａは扇風機埃取りフィルタを構成する分割フィルタ片を示す平面図、図４Ｂは同扇風機埃取りフィルタを構成する間隙部分割フィルタ片を示す平面図である。なお、図２において扇風機の脚の部分は説明の都合上省略している。
【００１１】
図１〜図３を参照して、本実施形態に係る扇風機埃取りフィルタ１００は、扇風機Ｓの回転羽根Ｓ２の背面部Ｓｂを保護する保護ガードＳ３（保護部に相当する）に取り付けられ、扇風機の送風中の埃を取り除くものである。
【００１２】
扇風機埃取りフィルタ１００は、フィルタの保護ガードＳ３への取り付け作業性を考慮して周方向に分割され、保護ガードＳ３の少なくとも一部を覆う複数の分割フィルタ片１０Ａ、１０Ｂ、１０Ｃ、１０Ｄを有する。分割フィルタ片１０Ａ〜１０Ｄの外方縁部には分割フィルタ片１０Ａ〜１０Ｄの形状を保護ガードＳ３に追従させる追従部が設けられる。
【００１３】
本実施形態において追従部は分割フィルタ１０Ａ〜１０Ｄの外方縁部が複数に分割された分割縁部１１Ａ〜１１Ｚから構成されている。また、分割フィルタ片１０Ａ〜１０Ｄを取り付けても保護ガードＳ３の背面をカバーできない場合には、例えば図１に示すように間隙部に間隙部分割フィルタ片２０Ａ、２０Ｂが取り付けられる。
【００１４】
以下、分割フィルタ片１０Ａ、１０Ｂ、１０Ｃ、１０Ｄは区別する必要のない場合、総称して分割フィルタ片１０、分割縁部１１Ａ〜１１Ｚは分割縁部１１、間隙部分割フィルタ片２０Ａ、２０Ｂは間隙部分割フィルタ片２０と表記する。なお、図２における符号Ｓ４は扇風機の保護ガードＳ３を構成するワイヤを図示している。また、図１における分割フィルタ片１０及び間隙部分割フィルタ片２０の外方縁部はフィルタ片同士の重なりを見易くするために意図的にフィルタ片が保護ガードＳ３の外周と重ならないように図示している。
【００１５】
分割フィルタ片１０の外方縁部及び内方縁部は、図４Ａに示すように共に円弧状に形成され、分割フィルタ片１０は保護ガードＳ３の側面を周方向に複数個分割した分割体と略同形状となるよう構成されている。分割フィルタ片１０の径方向長さは適応する扇風機の中でも最大の大きさの保護ガードに取り付けることを想定して決定している。分割フィルタ片１０の内方縁部はモーターカバーＳ１を避け、モーターカバーＳ１に取り付けられないように構成しており、これによってモーターカバーＳ１の発熱を防止できる。分割フィルタ片１０の中心角は例えば８５度程度に構成されるが、これに限定されない。
【００１６】
分割縁部１１は分割フィルタ片１０の外方縁部から径方向に１〜２ｃｍの切込みが設けられることによって形成される。分割縁部１１の中心角は例えば１４度程度であるが、これに限定されない。分割縁部１１の角度は、各々が同一であってもなくてもよい。
【００１７】
間隙部分割フィルタ片２０は分割フィルタ片１０を貼り付けても保護ガードＳ３の背面をカバーできないような場合に補助的に貼り付けられる。このように間隙部分割フィルタ片２０を貼り付けることによって、種々の保護ガードＳ３の形状に幅広く対応することができる。従って、間隙部分割フィルタ片２０は、保護ガードＳ３の形状に合わせて貼らない場合があってもよい。間隙部分割フィルタ片２０の中心角は例えば９度程度に構成されるが、これに限定されない。
【００１８】
また、分割フィルタ片１０及び間隙部分割フィルタ片２０には、図１に示すように周方向にミシン目Ｐが設けられてもよい。ミシン目Ｐが設けられることによって、ミシン目Ｐを切り取るのみで外形の大きさが異なる保護ガードＳ３にも埃取りフィルタ１００を取り付けることができる。
【００１９】
扇風機埃取りフィルタ１００は、例えば目付けが１０〜５０ｇ／ｍ２であるポリエステル系不織布から構成されるが、これに限定されない。また、扇風機埃取りフィルタ１００は、保護ガードＳ３に取り付けるために片面に粘着剤（粘着部材に相当する）が塗布される。粘着テープの材料は貼り直し易さを考慮して、例えばウレタン系粘着剤やアクリル系粘着剤等の再剥離粘着剤から構成されるが、これに限定されない。なお、扇風機埃取りフィルタ１００の粘着剤塗布面には使用前の貼り付き防止のためにフィルムが貼り付けられる。
【００２０】
次に本実施形態に係る扇風機埃取りフィルタの使用方法について説明する。まず、フィルムを剥がして粘着剤表面を露出させ、図２における分割フィルタ片１０Ａを保護ガードＳ３に貼り付ける。貼り付けは例えば保護ガードの内方縁部から外方縁部に向けて行い、外方縁部は例えば分割縁部１１Ｆから分割縁部１１Ａまで順番に貼り付ける。
【００２１】
分割縁部同士の貼り付けは、分割縁部１１Ｅと分割縁部１１Ｆの場合、例えば図３に示すように最初に分割縁部１１Ｆを保護ガードＳ３に貼り付ける。次に分割縁部１１Ｅを保護ガードＳ３の外枠Ｓ５に向けて折り曲げ、分割縁部１１Ｆの左端に分割縁部１１Ｅの右端を重ねる。以降、同様の作業を１１Ｄ〜１１Ａについても行い、分割フィルタ片１０Ａ〜１０Ｄを保護ガードＳ３に貼り付ける。分割フィルタ片１０でカバーできなかった保護ガードＳ３の背面には間隙部分割フィルタ片２０を貼り付け、背面全体をカバーするようにする。なお、間隙部分割フィルタ片２０の配置は図２の場合に限定されず、適宜変更してもよい。
【００２２】
従来の扇風機埃取りフィルタは分割されているものが存在するものの、フィルタを保持するフレームを保護ガードに係止等することによって取り付けており、様々なメーカー及び外形形状を有する保護ガードに適合させるには膨大な種類のフレームが必要になる。
【００２３】
これに対し本実施形態に係る扇風機埃取りフィルタ１００は、分割フィルタ片１０の外方縁部に保護ガードＳ３の形状に追従するように分割縁部１１を設けている。そのため、隣接する分割縁部に皴が寄らないように貼り付ければ一種類の埃取りフィルタで様々な保護ガードＳ３に取り付けることができ、分割縁部を折り重ねて貼り付ければ縁部も皴なく綺麗に仕上げることができる。
【００２４】
以上説明したように、本実施形態に係る扇風機埃取りフィルタ１００は分割フィルタ片１０の外方縁部に追従部を設けるように構成している。そのため、様々な保護ガードＳ３の形状に合わせて１種類の扇風機埃取りフィルタのみでの取り付けが可能になる。
【００２５】
また、追従部は分割縁部１１によって構成したため、埃取りフィルタが保護ガードＳ３の形状と一致していなくても分割縁部１１を折り重ねることによって、縁部に皴なく綺麗に貼り付けることができ、フィルタ性能と共に外観性を向上させることができる。
【００２６】
また、埃取りフィルタ１００は粘着テープによって貼り付けられるよう構成したため、保護ガードＳ３に容易に貼り付け作業ができる。
【００２７】
また、ミシン目Ｐを設けて周方向に切り取り可能となるように構成したため、ミシン目Ｐを切り取るのみで保護ガードＳ３の外形が異なる保護ガードＳ３にも１種類のフィルタで取り付けができ、適合性をさらに向上させることができる。
【００２８】
また、分割フィルタ片１０で保護ガードＳ３の背面をカバーできなかった場合には間隙部分割フィルタ片２０を取り付けるよう構成したため、様々な背面形状を有する保護ガードに取り付けができ、適合性を向上させることができる。
【００２９】
本発明は上述した実施形態のみに限定されることなく、特許請求の範囲内において種々の変更が可能である。保護ガードＳ３は円形状である実施形態について説明したが、これに限定されず、例えば矩形であってもよい。
【００３０】
また、分割縁部１１は切り込みが形成されることによって構成される実施形態について説明したが、これに限定されない。上記切り込み部分はミシン目で構成してもよい。分割縁部を切り込みで構成した場合、ミシン目Ｐを切り取っていない状態では切り込みの長さが長すぎ、保護ガードＳ３に貼り付ける際に皴なく貼り付けることが難しくなる。
【００３１】
これに対し分割縁部をミシン目で構成した場合、切り込みの長さはユーザーが取り付ける保護ガードの大きさに合わせて適宜切り取ればよいため、切り込みが長すぎることがなく、分割縁部１１を保護ガードＳ３に容易に皴なく綺麗に貼り付けることができる。
【符号の説明】
【００３２】
１０、１０Ａ、１０Ｂ、１０Ｃ、１０Ｄ  分割フィルタ片、
１１、１１Ａ〜１１Ｚ                  分割縁部、
１００                                扇風機埃取りフィルタ、
２０、２０Ａ、２０Ｂ                  間隙部分割フィルタ片、
Ｐ                                    ミシン目、
Ｓ                                    扇風機、
Ｓ１                                  モーターカバー、
Ｓ２                                  回転羽根、
Ｓ３                                  保護ガード（保護部）、
Ｓ４                                  保護ガードのワイヤ部分、
Ｓ５                                  保護ガードの外枠
Ｓｂ                                  背面部。
【図１】
2013160148.tif 000003
【図２】
2013160148.tif 000004
【図３】
2013160148.tif 000005
【図４Ａ】
2013160148.tif 000006
【図４Ｂ】
2013160148.tif 000007